(57)【要約】【課題】寝たきりの介護者を車椅子やトイレ、風呂場に移動する為に一般的に考えられている吊り下げ式フレームではバリアフリーの家庭も増えたとは言えフレームが大きく高価で、何処にでも設置できるものではなかった。そこでもっと小型にしてフレームごと移動出来ないかを考えた。しかしフレームごとの吊るされた状態での移動はどうしてもぶらぶら不安定に揺れ、介護者に不安を与えるだけであった。【解決手段】先ずフレームの台と天井部分のアームの長さをベアリングを組み込むことにより簡単スムースに調節出来るようにし、台はストッパーの付いた大きめのキャスターを付けた。その柱の上部左右に補強板を設けフレームの歪むのを防いだ。使用時には先ず自由に動ける場所に移動後、天井部のベアリングを利用して柱と柱との距離を狭め、介護者が柱を掴まえて移動できトイレなど狭い場所では突き当たりの壁などを利用し、押すだけで簡単に台の長さを短くできる。【選択図】  図３
2009159999.tif 000002
【特許請求の範囲】
【請求項１】
ストッパー付きキャスター（２）を両端に取り付け、長さの調節部分にベアリングを組み込みスムースに調節が可能な２本の台（１）それぞれに、これも長さの調節が可能な柱（３）を立て、それらの上部をこれも長さの調節部分にベアリングを組み込み、長さを簡単スムースに調節出来るアーム（４）で連結した、吊り下げながら移動出来る介護者吊り下げ移動用フレーム。
【発明の詳細な説明】
【技術分野】
【０００１】
本発明は介護者を吊り下げた状態で移動するための介護者吊り下げ移動用フレームである。寝たきりの介護者と言えども移動させる必要があり、その為にいろいろな工夫がなされている。その中でアーチ状やアーム状のフレームに吊り上げて移動させる方法では、多少の移動は可能だとは言えフレーム自体は固定して使用するしかなかった。その範囲内で吊り上げて、吊り下げ具に内蔵されたモーターや手動で動かして車椅子などの上に移動し降ろし、その車椅子で移動させるのが一般的だった。更にこれを設置するには本体もかなり高価で大きなスペースを要し邪魔にもなり、どこにでも設置出来るわけではなかった。介護者の病状もいろいろ、バリアフリーの住宅も普及して来ている現状において、吊り下げた状態で、アーチ状、又はアーム状のフレームごと移動できる方法、構造を考えた。
【背景技術】
【０００２】
モーターやハンドルを使って持ち上げる方法は数多くあり、その中で状況に合った方法、ツールを用いれば問題はない。しかしこのままキャスターを付け単にコンパクトにしただけでは少し移動しただけで不安定に動き、介護者に不安を与えるだけである。どこかに掴まるところがあれば多少の不安の解消に役立つと思われるが移動しない時は邪魔なだけである。
【特許文献１】特開平１０−２８６２８８
【特許文献１】特開平１０−３０５０６３
【特許文献１】特開２００１−１０４４０７
【特許文献１】特開２００３−２６０１０５
【特許文献１】特開２００２−６５７６３
【特許文献１】特開２００７−１３０３８７
【特許文献１】特開２００７−２６７８５５
【特許文献１】実用新案公開昭５６−１２４４２７
【特許文献１】実用新案公開平２−１４１４４０
【発明の開示】
【発明が解決しようとする課題】
【０００３】
吊り下げ可能な強度を持つフレームが家庭など狭いところを経て、トイレなど更に狭いところにも移動でき、そこで降ろせることが出来ないだろうか  という条件を満たす方法を考えた。それには先ずフレームが歪まない工夫が必要だ。さらに必要スペースを小さくするために２本の台とフレームの上部を如何に簡単スムースに縮めたり伸ばしたり出来るかを考える必要があった。２本の柱の距離を縮めることが出来れば介護者が柱を持った状態で移動できるので移動中の不安は大幅に減少できる。
【課題を解決するための手段】
【０００４】
フレームごと移動させるためには先ずしっかり固定できるキャスターを付ける必要がある。それも硬い一般的なものよりゴムなどの弾性素材を使った車が望ましい。簡単スムースにフレームを縮めるために台とフレーム上部にベアリングの組み込んだ。どうしても移動時にフレームが歪み易いので、左右上部に筋交い状の補強板を付けた。移動時はフレームの上部のベアリングを利用し柱と柱の間を狭めることにより介護者は両柱を掴まえて移動できるので介護者に不安を感じさせずに移動できる。目的地がトイレなどの場合、目的地の壁などを利用し、反対側から押すだけで簡単スムースに台を縮めることが出来る。
【発明の効果】
【０００５】
一般的にベットや布団を跨いで設置されたフレームで介護者を吊り上げた後、吊り上げた状態でベットや布団の外に移動し、その場所でフレームの上部に組み込まれたベアリングを利用して柱と柱の距離を狭め介護者が掴まって移動できるようにする。上部左右に設置された補強板により不安を最小限に留めながら狭い廊下などでも移動が可能になった。フレームがコンパクトになるので移動中介護者を支える、或いは抱きかかえるようにして、フレーム共ゆっくり一緒に動いて行くような移動方法もできる。更に狭い場所での移動のため、縦の移動も可能だ。介護者の病状にもよるがトイレや風呂場の近くまで運ぶことが可能になり、トイレの広さにもよるが吊るした状態で便器の上まで移動することも可能になった。トイレが狭くトイレの中まで入れられない場合でも直ぐ近くまで連れて行ける。台の縮まる方を先にして突き当たるように移動し、単に押すだけで台を簡単に縮めることもできる。
【発明を実施するための最良の形態】
【０００６】
大きめのストッパー付き弾性素材を使用したキャスター（２）を両端に取り付け、ベアリングを組み込み、長さの調節が簡単スムースに出来る２本の台（１）それぞれに、これも長さの調節が可能な柱（３）を立て、それらの上部をこれもベアリングを組み込み長さの調節が簡単スムースに出来るアーム（４）で連結された介護用リフト吊り下げ用フレームを組み立て、その上部アームの下側に、吊り下げ具が横に移動出来るような溝を設けた。更にフレームの歪みを抑える目的で上部左右に筋交い状の補強板（６）を設けた。一般的にベッドや寝具を跨いた位置で真下にいる介護者を市販の吊り下げ具（７）を用い吊り上げる。そのままの状態で自由に移動できる場所に移動する。そのままで更に移動するとぶらぶら不安定に揺れ不安感が大きいので、柱と柱との距離を縮め、介護者がそれを掴み、安心して移動できる状態にする。又必要に応じて台の長さを加減する。
【図面の簡単な説明】
【０００７】
【図１】介護者吊り下げ用フレーム
【図２】介護者を、吊り下げ具を用い吊り下げた図
【図３】トイレの便器の上付近の位置に移動した時の図
【符号の説明】
【０００８】
１  長さの調整が可能なベアリング内蔵の台
２  ストッパー付きのキャスター
３  長さの調節が可能な柱
４  柱の上部を結び、長さの調節が可能なベアリング内蔵のアーム
５  吊り下げ具のモーター内蔵部分
６  補強板
７  介護者吊り下げ具
８  便器
９  縮められた状態のアーム
１０  縮められた状態の台
【図１】
2009159999.tif 000003
【図２】
2009159999.tif 000004
【図３】
2009159999.tif 000005
【手続補正書】
【提出日】平成20年8月18日(2008.8.18)
【手続補正１】
【補正対象書類名】特許請求の範囲
【補正対象項目名】請求項１
【補正方法】変更
【補正の内容】
【請求項１】
本発明は狭い室内において介護する人が老人でも簡単に扱え、スムースに移動させられる吊り下げ具を使った吊り下げながら移動させられ、そのままでトイレに入り用便が可能にもなり、軽いリハビリの助けになるフレームに関するもので、ストッパー付きキャスター（２）を両端に取り付け、長さの調節部分にベアリングを組み込みスムースに調節が可能な２本の台（１）それぞれに、室内の移動条件に適合した長さに調節が可能な柱（３）を立て、それらの上部を、ベアリングを組み込み、ベットの幅を余裕を持って跨げる長さから、両手で掴めて移動できるような長さまで簡単スムースに調節可能でコの字型になるような吊り下げ具を吊り下げ支えるアーム（４）で連結した、吊り下げながら狭い室内を自由に移動出来る介護者吊り下げ移動用フレーム。
【手続補正２】
【補正対象書類名】明細書
【補正対象項目名】０００４
【補正方法】変更
【補正の内容】
【０００４】フレームごと移動させるためには先ずしっかり固定できるキャスター（２）を付ける必要がある。それも硬い一般的なものよりゴムなどの弾性素材を使った車が望ましい。介護者が老人や子供でも扱えるように簡単スムースにフレームを縮めるために台（１）とフレーム上部の吊り下げ具を支えるアーム（４）にベアリングの組み込んだ。これにより壁などに押しつけたり段差に引っ掛けたりするだけで台（１）とアーム（４）の伸縮が移動中でも可能にした。どうしても移動時にフレームが歪み易いので、左右上部に筋交い状の補強板（６）を付けた。移動時はフレームの上部のベアリングを利用し柱と柱の間を狭めることにより介護者は両柱（３）を掴まえて移動できるので介護者に不安を感じさせずに移動できる。目的地がトイレなどの場合、目的地の壁などを利用し、反対側から押すだけで簡単スムースに台を縮めることが出来る。
【手続補正３】
【補正対象書類名】明細書
【補正対象項目名】０００５
【補正方法】変更
【補正の内容】
【０００５】  一般的にベットや布団を跨いで設置されたフレームで介護者を吊り上げた後、吊り上げた状態でベットや布団の外に移動し、その場所でフレームの上部に組み込まれたベアリングを利用して柱と柱の距離を狭め介護者が掴まって移動できるようにする。上部左右に設置された補強板により不安を最小限に留めながら狭い廊下などでも移動が可能になった。フレームがコンパクトになるので移動中介護者を支える、或いは抱きかかえるようにして、フレーム共ゆっくり一緒に動いて行くような移動方法もできる。更に狭い場所での移動のため、縦の移動も可能だ。介護者の病状にもよるがトイレや風呂場の近くまで運ぶことが可能になり、トイレの広さにもよるが吊るした状態で便器の上まで移動することも可能になった。トイレが狭くトイレの中まで入れられない場合でも直ぐ近くまで連れて行ける。台の縮まる方を先にして突き当たるように移動し、単に押すだけで台を簡単に縮めることもできる。介護者の状態により、下半身はフリーで上半身のみの吊り下げ具や簡単に車椅子や便座に座れるタイプの吊り下げ具が選べる。下着を着けずに移動することでそのまま便座に座り、そのままでの用便も可能で、介護者のみならず、介護する人にとっても非常に便利になる。別部品として柱（３）又はアーム（４）に点滴吊り下げ用フックを取り付ければ、点滴しながらの移動が楽になる。上半身のみの吊り下げ具は、ベッド上では座った状態からベッドを降り、介護者が立った状態で多少脚を使って移動出来るので、リハビリの効果も期待出来る。
【手続補正４】
【補正対象書類名】明細書
【補正対象項目名】０００６
【補正方法】変更
【補正の内容】
【０００６】 ベアリングを組み込み、長さの調節が簡単スムースに出来るように造られた２本の台（１）の両端下部に、弾性素材を使用した大きめのストッパー付きキャスター（２）をに取り付け、それぞれに長さの調節が可能な柱（３）を立てる。それらの上部をこれもベアリングを組み込み長さの調節が簡単スムースに出来るアーム（４）でコの字型に連結固定し介護用リフト吊り下げ用フレームを組み立てる（図１）。その上部アーム（４）の下側に、吊り下げ具が横に移動出来るような溝を設けた。更にフレームの歪みを抑える目的で上部左右に筋交い状の補強板（６）を設けた。一般的にベッドや寝具を跨いた位置で真下にいる介護者を市販の吊り下げ具（７）を用い吊り上げる。そのままの状態で自由に移動できる場所に移動する。そのままで更に移動するとぶらぶら不安定に揺れ不安感が大きいので、柱と柱との距離を縮め、介護者がそれを掴み、安心して移動できる状態にする。又必要に応じて台（１）の長さを加減する。台の長さを縮めるには２本の台の一端を壁などに押し付けるだけで縮めることができ、どこかに段差など引っ掛けるところがあれば、そこに引っ掛ければ簡単で直ぐに伸ばすことが出来る。アーム（４）の長さの調整も同じような方法で簡単短時間で調節が出来、介護する人が老人の場合でも楽に扱える。柱（３）は部屋を自由に移動出来る高さ、即ち十分な高さは保つが鴨居、入り口、カーテンレールなどに引っかからない長さに調節固定する。尚、図では、アーム（４）は解りやすいように長さの調節を２段階調節で描いたが、場合により３、４段階で行う。
【手続補正５】
【補正対象書類名】明細書
【補正対象項目名】０００８
【補正方法】変更
【補正の内容】
【０００８】      １  長さの調整が可能なベアリング内蔵の台
２  ストッパー付きのキャスター
３  長さの調節が可能な柱
４  柱の上部を結び、長さの調節が可能なベアリング内蔵のアーム
５  吊り下げ具のモーター内蔵部分
６  補強板
７  介護者吊り下げ具
８  便器
９  縮められた状態のアーム
１０  縮められた状態の台
１１  露出した臀部
【手続補正６】
【補正対象書類名】図面
【補正対象項目名】図３
【補正方法】変更
【補正の内容】
【図３】
2009159999.tif 000006